(57)【要約】【課題】吸引管の位置変更が容易で、術者が所望する微妙な位置に吸引管を備えることが可能であり、しかも吸引管が口腔から外れてしまうことも完全に防止することができる口腔内吸引装置の吸引管の保持装置を提供する。【解決手段】術者Ｊが患者Ｋに対し治療を行う場合には、ピンチ１６１に口腔内吸引装置の吸引管Ｐを挟む。そして、吸引管Ｐを持って患者Ｋの口腔内に差し入れて、所望の位置へ移動させる。吸引管Ｐの動作に追随するように、アーム３１が支柱１７に対し回動したり、アーム３１の姿勢が変更したりする。そして、吸引管Ｐを所望の位置に止め、その状態を保ったまま押しネジ１３３と雌ネジ部１０１を締める。これにより、吸引管Ｐが任意の位置で保持される。【選択図】        図１
2010284333.tif 000002
【特許請求の範囲】
【請求項１】
床面等に設置するベースと、前記ベースに支持された支柱と、前記支柱に回動自在に支持され姿勢変更可能なアームと、前記アームの先端部に基端部が連結されて上下方向に伸び、且つ途中で角度変更可能な支持部と、前記支持部の先端部に取り付けられたピンチとから成ることを特徴とする口腔内吸引装置の吸引管の保持装置。
【請求項２】
請求項１に記載した口腔内吸引装置の吸引管の保持装置において、ピンチは支持部にボールジョイントを介して連結され、且つピンチを任意の位置に止めるためボールジョイントのボールを固定するボールロック手段を具備することを特徴とする口腔内吸引装置の吸引管の保持装置。
【請求項３】
請求項２に記載した口腔内吸引装置の吸引管の保持装置において、支持部の先端部とボールジョイントの間に介挿され、前記支持部の先端部に対するピンチの上下方向の位置と横方向の向きを調節する位置調節手段を具備することを特徴とする口腔内吸引装置の吸引管の保持装置。
【請求項４】
請求項３に記載した口腔内吸引装置の吸引管の保持装置において、位置調節手段は、支持部に対して同軸状に回動自在に連結されたノブと、前記ノブのネジ孔に螺合した雄ネジシャフトと、前記雄ネジシャフトとボールジョイントの本体部に固定された保持ケースと、前記雄ネジシャフトの上下移動及び回動しない状態にロックするロック手段を備えることを特徴とする口腔内吸引装置の吸引管の保持装置。
【請求項５】
請求項１から４のいずれかに記載した口腔内吸引装置の吸引管の保持装置において、支持部の先端部とボールジョイントの間に介挿され、前記支持部の先端部に対するピンチの前後方向の位置を調節する位置調節手段を具備することを特徴とする口腔内吸引装置の吸引管の保持装置。
【請求項６】
請求項１から５のいずれかに記載した口腔内吸引装置の吸引管の保持装置において、アームの先端には棒状のハンドルが連結されており、ハンドル操作により前記アームの折り曲げ度合いを調整できること特徴とする口腔内吸引装置の吸引管の保持装置。
【請求項７】
請求項１から６のいずれかに記載した口腔内吸引装置の吸引管の保持装置において、支持部はフレキシブルパイプによって構成されていることを特徴とする口腔内吸引装置の吸引管の保持装置。
【発明の詳細な説明】
【技術分野】
【０００１】
本発明は口腔内吸引装置の吸引管の保持装置に係り、特に治療中に術者を補助する者が居なくても、口腔内吸引装置の吸引管を口内に差し入れて保持することができる口腔内吸引装置の吸引管の保持装置に関するものである。
【背景技術】
【０００２】
歯科治療中においては、口腔内吸引装置の吸引管を口腔内に差し入れて溜まった汚液や汚物を吸引して排出している。この吸引管を術者が片方の手で持つと、もう片方の手で治療を行うことになり、その分治療作業が妨げられてしまうことになる。
また、術者を補助する者を置いて、この者が吸引管を手で持って口腔内に差し入れる場合もあるが、吸引管を動かさないように長時間持っている行為は重労働であり、そもそも補助者が居ない場合には対応できない。
そこで、特許文献１に記載された口腔内吸引器具及び装置がある。この口腔内吸引器具及び装置は、患者が吸引管に接続された吸引器を噛んで、吸引管を口腔内に保持するものである。
【先行技術文献】
【特許文献】
【０００３】
【特許文献１】特開２００６−３４３０５号公報
【発明の概要】
【発明が解決しようとする課題】
【０００４】
しかしながら、上記従来例に係る口腔内吸引器具及び装置は、患者が吸引器を噛んで、吸引管を口腔内に保持するものであるため、吸引管の位置を変更する場合には患者に噛んでいる吸引器を一旦離してもらい、噛み直してもらわなければならず、位置変更が相当に煩わしいという問題がある。
また、患者に吸引器を噛んで保持するのでは、術者が所望する位置に吸引管を備えることは殆ど不可能である。
更に吸引器の保持を患者だけに頼っているため、何かの拍子に吸引管が口腔から外れてしまうおそれもある。
【０００５】
本発明は上記従来の問題点に着目して為されたものであり、吸引管の位置変更が容易で、術者が所望する微妙な位置に吸引管を備えることが可能であり、しかも吸引管が口腔から外れてしまうことも完全に防止することができる口腔内吸引装置の吸引管の保持装置を提供することを、その目的とする。
【課題を解決するための手段】
【０００６】
本発明は上記課題を解決するためになされたものであり、請求項１の発明は、床面等に設置するベースと、前記ベースに支持された支柱と、前記支柱に回動自在に支持され姿勢変更可能なアームと、前記アームの先端部に基端部が連結されて上下方向に伸び、且つ途中で角度変更可能な支持部と、前記支持部の先端部に取り付けられたピンチとから成ることを特徴とする口腔内吸引装置の吸引管の保持装置である。
【０００７】
請求項２の発明は、請求項１に記載した口腔内吸引装置の吸引管の保持装置において、ピンチは支持部にボールジョイントを介して連結され、且つピンチを任意の位置に止めるためボールジョイントのボールを固定するボールロック手段を具備することを特徴とする口腔内吸引装置の吸引管の保持装置である。
【０００８】
請求項３の発明は、請求項２に記載した口腔内吸引装置の吸引管の保持装置において、支持部の先端部とボールジョイントの間に介挿され、前記支持部の先端部に対するピンチの上下方向の位置と横方向の向きを調節する位置調節手段を具備することを特徴とする口腔内吸引装置の吸引管の保持装置である。
【０００９】
請求項４の発明は、請求項３に記載した口腔内吸引装置の吸引管の保持装置において、位置調節手段は、支持部に対して同軸状に回動自在に連結されたノブと、前記ノブのネジ孔に螺合した雄ネジシャフトと、前記雄ネジシャフトとボールジョイントの本体部に固定された保持ケースと、前記雄ネジシャフトの上下移動及び回動しない状態にロックするロック手段を備えることを特徴とする口腔内吸引装置の吸引管の保持装置である。
【００１０】
請求項５の発明は、請求項１から４のいずれかに記載した口腔内吸引装置の吸引管の保持装置において、支持部の先端部とボールジョイントの間に介挿され、前記支持部の先端部に対するピンチの前後方向の位置を調節する位置調節手段を具備することを特徴とする口腔内吸引装置の吸引管の保持装置である。
【００１１】
請求項６の発明は、請求項１から５のいずれかに記載した口腔内吸引装置の吸引管の保持装置において、アームの先端には棒状のハンドルが連結されており、ハンドル操作により前記アームの折り曲げ度合いを調整できること特徴とする口腔内吸引装置の吸引管の保持装置である。
【００１２】
請求項７の発明は、請求項１から６のいずれかに記載した口腔内吸引装置の吸引管の保持装置において、支持部はフレキシブルパイプによって構成されていることを特徴とする口腔内吸引装置の吸引管の保持装置である。
【発明の効果】
【００１３】
本発明の口腔内吸引装置の吸引管の保持装置では、姿勢変更可能なアームと角度変更可能な連結された支持部が連結され、その支持部の先端部にピンチが取り付けられているので、このピンチに吸引管を挟持することにより、吸引管の位置変更を容易に行うことができる。また、術者が所望する微妙な位置に吸引管を備えることが可能となり、しかも吸引管が口腔から外れてしまうことも完全に防止することができるようになる。
【図面の簡単な説明】
【００１４】
【図１】本発明の実施の形態１に係る口腔内吸引装置の吸引管の保持装置の斜視図である。
【図２】図１の口腔内吸引装置の吸引管の保持装置のアームの斜視図である。
【図３】図１の口腔内吸引装置の吸引管の保持装置のボールジョイントとピンチの斜視図である。
【図４】ボールジョイントの構成を説明するための図である。
【図５】本発明の実施の形態２に係る口腔内吸引装置の吸引管の保持装置の斜視図である。
【図６】図５の口腔内吸引装置のベースの前側脚部の拡大斜視図である。
【図７】図５の口腔内吸引装置の連結管付近の拡大斜視図である。
【図８】図７の一部断面平面図である。
【図９】図５の口腔内吸引装置の前後及び上下方向の位置調節手段の斜視図である。
【図１０】図９の前後方向の位置調節手段の断面図である。
【図１１】図９の上下方向の位置調節手段の断面図である。
【発明を実施するための形態】
【００１５】
本発明の実施の形態１に係る口腔内吸引装置の吸引管の保持装置１を図面にしたがって説明する。
符号３はベースを示し、このベース３はＹ字状で後側脚部５と、一対の前側脚部７、９とを有している。後側脚部５はわずかに斜め下方に延びており、先端部が水平になっている。一対の前側脚部７、９はわずかに斜め下方に延びており、途中部分から水平に延びている。一対の前側脚部７、９は後側脚部５よりも長寸法となっていて、一対の前側脚部７、９へより倒れ難い構造になっている。後側脚部５の先端部、一対の前側脚部７、９の先端部にはキャスター１１がそれぞれ取付けられている。一対の前側脚部７、９の先端部にはハンドル付きの調節ネジ１３がそれぞれ取付けられており、この調節ネジ１３は、その下端部に設置部１５を有している。
【００１６】
ベース３には上方向に延びる支柱１７が支持されており、この支柱１７の上端部には連結管１９が取付けられている。この連結管１９の外周面には図示しないネジ孔が形成されており、このネジ孔にはハンドル付きの押しネジ２１が螺合されている。連結管１９には上方から取付パイプ２３が挿入されており、この取付パイプ２３は連結管１９に回動自在に支持されている。取付パイプ２３は押しネジ２１を締めることで固定されるようになっている。取付パイプ２３の上端にはフランジ２５が取付けられている。
符号２９は箱状の支持ベースを示し、この支持ベース２９はネジによってフランジ２５の上面に取付けられている。支持ベース２９上面にはアーム３１が備えられている。
【００１７】
アーム３１の詳細な構成について図２にしたがって説明する。
符号３９は支持金具を示し、この支持金具３９は支持ベース２９の上面に固定されている。支持金具３９は斜め上方に向かって延びる一対の傾斜プレート４１を有しており、一対の傾斜プレート４１の先端部にはフランジを有するバネ掛部４３がそれぞれ設けられている。
支持金具３９には前方に向かって延びる一対の水平プレート４５が取付けられている。一対の水平プレート４５の前端部は互いに異なる方向に直角に曲げられて、一対のストッパ４５ａが形成されている。
【００１８】
支持金具３９の前端部には、角パイプから成る一対の前側ロッド５１が支持軸５３を支点として回動自在に取付けられている。一対の前側ロッド５１の基端部の前方には一対の水平プレート４５のストッパ４５ａが対向して配置され、前側ロッド５１がストッパ４５ａに当接する位置より前方側に倒れるのを規制している。
一対の前側ロッド５１の中央部には連結軸５２が渡設されている。
また、支持金具３９の後端部には、角パイプから成る後側ロッド５５が支持軸５７を支点として回動自在に取付けられている。
【００１９】
符号６１はブーメラン形状の連結金具を示し、この連結金具６１は一対設けられている。一対の連結金具６１は、その曲部が後方を向く姿勢で互いに対向して配置されている。一対の連結金具６１の曲部どうしの間には後側ロッド５５の先端部が備えられている。そして、連結金具６１の曲部、後側ロッド５５の先端部及び連結金具６１の曲部には支持軸６３が貫通している。従って、一対の連結金具６１は支持軸６３を支点として後側ロッド５５に対し回動自在に支持されている。
一対の連結金具６１の斜め下方へ延びる下側端部どうしの間には、角パイプから成る下側ロッド６５の基端部が備えられ、また一対の連結金具６１の下側端部の両側には一対の前側ロッド５１の先端部が備えられている。そして、前側ロッド５１の先端部、連結金具６１の下側端部、下側ロッド６５の基端部、連結金具６１の下側端部及び前側ロッド５１の先端部には支持軸６７が貫通している。従って、一対の連結金具６１は支持軸６７を支点として前側ロッド５１に対し回動自在に支持されており、また下側ロッド６５は支持軸６７を支点として一対の連結金具６１に対し回動自在に支持されている。
【００２０】
一対の連結金具６１の斜め上方へ延びる上側端部どうしの間には角パイプから成る上側ロッド６９の基端部が備えられている。そして、連結金具６１の上側端部、上側ロッド６９の基端部及び連結金具６１の上側端部には支持軸７１が貫通している。従って、上側ロッド６９は支持軸７１を支点として一対の連結金具６１に対し回動自在に支持されている。支持軸７１の両端部はフランジが形成されてバネ掛部７３となっている。
下側ロッド６５の略中央部の側面にはフランジを有するバネ掛部７９がそれぞれ設けられている。
【００２１】
符号８１は連結金具を示し、この連結金具８１は連結金具６１と同じ形状を為しており、一対の連結金具８１は、その曲部が前方を向く姿勢で互いに対向して配置されている。一対の連結金具８１の下側端部どうしの間には下側ロッド６５の先端部が備えられている。そして、連結金具８１の下側端部、下側ロッド６５の先端部及び連結金具８１の下側端部には支持軸８３が貫通している。従って、一対の連結金具８１は支持軸８３を支点として下側ロッド６５に対し回動自在に支持されている。
一対の連結金具８１の上側端部どうしの間には上側ロッド６９の先端部が備えられている。そして、連結金具８１の上側端部、上側ロッド６９の先端部及び連結金具８１の上側端部には支持軸８５が貫通している。従って、一対の連結金具８１は支持軸８５を支点として上側ロッド６９に対し回動自在に支持されている。
【００２２】
符号８７は一対のコイルスプリングを示し、一対のコイルスプリング８７の一端部はバネ掛部４３にそれぞれ掛けられており、他端部は連結軸５２に掛けられている。
符号８９は一対のコイルスプリングを示し、一対のコイルスプリング８９の一端部はバネ掛部７３にそれぞれ掛けられており、他端部はバネ掛部７９にそれぞれ掛けられている。
アーム３１は上記のような構成になっており、アーム３１は引き伸ばされた状態と折り畳まれた状態とに姿勢変更可能となっている。
【００２３】
符号９１は開閉ホルダーを示し、この開閉ホルダー９１にはスリット９３が形成されている。開閉ホルダー９１の前端部にはスリット９３と連通する空間部９５が形成されており、開閉ホルダー９１の前面には空間部９５と連通する開口９７が形成されている。
開閉ホルダー９１は前述した一対の連結金具８１の曲部の間に備えられている。そして、連結金具８１の曲部、開閉ホルダー９１の後端部及び連結金具８１の曲部には雄ネジ９９が貫通している。従って、開閉ホルダー９１は雄ネジ９９を支点として一対の連結金具８１に対し回動自在に支持されている。雄ネジ９９の開閉ホルダー９１から突出する部分にはハンドル付きの雌ネジ部１０１が螺合されている。
フレキシブルパイプロック手段は開閉ホルダー９１、雄ネジ９９及び雌ネジ部１０１によって構成されている。
【００２４】
符号１１１は吊り下げ部を示し、この吊り下げ部１１１は円柱状の取付部１１３を有している。この取付部１１３の上端にはフランジ１１５が形成されている。
取付部１１３は開閉ホルダー９１に形成された空間部９５に挿入されており、吊り下げ部１１１は開閉ホルダー９１に対し回動自在に支持されている。またフランジ１１５は開閉ホルダー９１の上面に当接しており、吊り下げ部１１１が抜け止めされている。
吊り下げ部１１１の下端部にはフレキシブルパイプ１１７の基端部が取付けられて、フレキシブルパイプ１１７の基端部がアーム３１の先端部に回動自在に連結されている。
【００２５】
フレキシブルパイプ１１７の先端部にはボールジョイント１２１が備えられており、このボールジョイント１２１の詳細な構成について説明する（図３、図４参照）。
符号１２３は連結部を示し、この連結部１２３の上端部はフレキシブルパイプ１１７の先端部に連結されている。連結部１２３の下端には本体部１２５が固定されている。
【００２６】
本体部１２５は円筒状のケース部１２７を有しており、このケース部１２７の下端には内側に向かって水平に延びる係止部１２９が一体に設けられている。ケース部１２７の外周面にはネジ孔１３１が形成されており、このネジ孔１３１にはハンドル付きの押しネジ１３３が螺合されている。押しネジ１３３の先端部はケース部１２７の内側に向かって突出している。ケース部１２７の内側には押えブロック１３５が備えられている。この押えブロック１３５は円錐状の上端部を切断した形状を為しており、押えブロック１３５の下面には球面状の凹部１３７が形成されている。押えブロック１３５の側面には押しネジ１３３の先端が当接している。
ボールロック手段は押しネジ１３３と押えブロック１３５によって構成されている。
【００２７】
本体部１２５の下端部にはボール支持部１４１が、そのフランジ１５３が係止部１２９に係止され、回動自在に支持されている。このボール支持部１４１は空間部１４７を有し、この空間部１４７はケース部１２７の内部と連なり、またボール支持部１４１の下面には空間部１４７に連通する開口１４９が形成されている。ボール支持部１４１の側面には空間部１４７と開口１４９に連通するスリット１５１が形成されている。
【００２８】
空間部１４７には、軸１５７が一体に形成されたボール１５５が備えられ、ボール１５５はボール支持部１４１に回動自在に支持されている。また軸１５７は開口１４９を通り下方に向かって延びている。軸１５７はスリット１５１に入り込むことができる径寸法に設定されている。軸１５７の先端部にはピンチ１６１が取付けられている。即ちピンチ１６１はボールジョイント１２１を介してフレキシブルパイプ１１７に回動自在に連結されている。
【００２９】
次に、口腔内吸引装置の吸引管の保持装置１の使用方法について説明する。
図１に示すように口腔内吸引装置の吸引管の保持装置１を、術者Ｊに対し治療椅子Ｔを挟んで対向する位置に設置しておく。
術者Ｊが患者Ｋに対し治療を行う場合には、ピンチ１６１に口腔内吸引装置の吸引管Ｐを挟む。そして、吸引管Ｐを持って患者Ｋの口腔内に差し入れて、所望の位置へ移動させる。吸引管Ｐの動作に追随するように、アーム３１が支柱１７に対し回動したり、アーム３１の姿勢が変更したりする。そして、吸引管Ｐを所望の位置に止め、その状態を保ったまま押しネジ１３３と雌ネジ部１０１を締める。これにより、吸引管Ｐが所望の位置で保持される。
【００３０】
従って、治療中に術者Ｊを補助する者が居なくても、口腔内吸引装置の吸引管Ｐを口内に差し入れて保持することができ、労働効率がよい。また、患者Ｋに頼らずに吸引管Ｐを保持することができるため、吸引管Ｐが口腔から外れてしまうことも完全に防止することができる。
【００３１】
吸引管Ｐの位置を変更する場合には、押しネジ１３３を緩め、ピンチ１６１と共に吸引管Ｐを回動させて、押しネジ１３３を締める。このように押しネジ１３３や雌ネジ部１０１を操作するだけで、容易に吸引管Ｐの位置を変更して固定することができる。
前述したようにピンチ１６１はボールジョイント１２１を介してフレキシブルパイプ１１７に回動自在に連結されており、フレキシブルパイプ１１７はアーム３１に対し回動自在に連結されているため、術者Ｊが所望する微妙な位置に吸引管Ｐを備えることが可能である。
【００３２】
上記操作において、押しネジ１３３を締めると、図４（ｂ）に示すように押しネジ１３３によって押えブロック１３５が下方に押圧され、押えブロック１３５がボール支持部１４１とボール１５５とを押圧する。これによりボール支持部１４１とボール１５５が固定されて、ピンチ１６１がその位置で止まる。
また、雌ネジ部１０１を締めると、雄ネジ９９と雌ネジ部１０１とによって開閉ホルダー９１が両側から押圧され、開閉ホルダー９１が吊り下げ部１１１の取付部１１３を押圧する。これにより吊り下げ部１１１と共にフレキシブルパイプ１１７がその位置で回動しない状態にロックされる。
【００３３】
実施の形態２に係る口腔内吸引装置の吸引管の保持装置２０１を図５から図１１にしたがって説明する。
実施の形態２に係る口腔内吸引装置の吸引管の保持装置２０１は、実施の形態１に係る口腔内吸引装置の吸引管の保持装置１と同様の構成部分を有するので、口腔内吸引装置の吸引管の保持装置１と同様の構成部分については、同じ符号を付すことで説明を省略し、異なる構成部分についてのみ以下で説明する。
【００３４】
図６に詳細に示すように、前側脚部７、９の構成と異なっている。
ベース３の前側脚部７の先端部には上下方向に貫通すると共に先端側に開口した凹部２０３が形成されており、その凹部２０３には支持軸２０５が嵌入され架け渡されている。符号２０７は設置部を示し、この設置部２０７にはアーム２０９が設けられている。アーム２０９の基端側には孔が形成されており、その孔に支持軸２０５が回転自在に挿通されている。したがって、アーム２０９は、支持軸２０５を支点として前側脚部７に対して回動自在になっている。また、アーム２０９にはペダル２１１が取り付けられている。
【００３５】
従って、仮想線で示すように、ペダル２１１を後方に倒せば、アーム２０９が持ち上がり、設置部２０７の下面が床面から離れて、前側脚部７が移動できるようになり、ペダル２１１を起こして元の直立姿勢に戻せば、アーム２０９が横臥して設置部２０７の下面が床面に当接し、前側脚部７の移動が規制される。
前側脚部９も、同じように構成されている。
【００３６】
図７、８に詳細に示すように、アーム２０９をハンドルやレバー操作により回動させる手段が付加されている。
連結部２１２の側面にはノブ付きネジ２１３が螺入されるネジ孔が形成されている。符号２１４は中間ハブを示し、この中間ハブ２１４の側面には環状溝２１５が形成されている。中間ハブ２１４の外方フランジが連結部２１２の上端に載せられている。ノブ付きネジ２１３が連結部２１２の外方から螺合され、中間ハブの環状溝２１５に挿入されるようになっている。
符号２１６は孔付きの支持プレートを示し、この支持プレート２１６にウォームギア２１７が軸受けを介して設置され、このウォームギア２１７にウォームホイール２１８が噛合されている。このウォームホイール２１８のボス部に支持ベース２９が連結されている。
符号２１９はウォームホイール２１８を下側から取付けて支持するホイール取付ハブを示し、このウォームホイール２１８は支持プレート２１６の孔を貫通して中間ハブ２１４の孔に挿入されている。下側は、２つの座金２２０、２２２を介してボルト２２３により締められている。
【００３７】
従って、ハンドル２２４を回すと、ウォームホイール２１８が回動し、それに追従して、支持ベース２９、ホイール取付ハブ２１９、座金２２０、２２２、ボルト２２３が一体となって回動し、アーム２０９をベース３に対して微回動させることができる。
一方、レバー２２５を回すと、支持ベース２９、ウォームホイール２１８、ホイール取付ハブ２１９、座金２２０、２２２、ボルト２２３に加えて、ウォームギア２１７、支持プレート２１６、中間ハブ２１４も一体に回動し、アーム２０９をベース３に対して大きく回動させることができる。
ノブ付きネジ２１３を螺入させて押圧すれば、上記した回動はできない状態になる。
【００３８】
図５に詳細に示すように、アーム２０９の構成が異なっている。
符号２２１は一対の下側補強ロッドを示し、一対の下側補強ロッド２２１は下側ロッド６５の外方両側に配置されている。各下側補強ロッド２２１は湾曲しており、外方に若干膨出している。下側補強ロッド２２１の後端部も下側ロッド６５と同様に支持軸６７を支点として一対の連結金具６１に対し回動自在に支持されている。
符号２２３は一対の連結金具を示す。この連結金具２２３には連結金具８１における雄ネジ９９の貫通孔が形成されておらず、その部分は幅広の平板状になって下方に延びている。下側補強ロッド２２１の前端部も下側ロッド６５と同様に支持軸８３を支点として一対の連結金具２２３に対し回動自在に支持されている。
【００３９】
また、一対の連結金具２２３、２２３によってフレキシブルパイプ１１７の上端部が挟持されて固定されている。
符号２２５はレバーを示し、このレバー２２５は棒状をなしている。レバー２２５の上端は連結金具２２３に固定されており、グリップの付いた下端部は術者の近くまで延びており、術者は治療行為を行いながら、レバー２２５を下げたり上げたりすることで、アーム２０９の折り曲げ度合いを適宜調整できるようになっている。
【００４０】
次に、新たに付加されたフレキシブルパイプ１１７の先端部に対するピンチ１６１の前後方向の位置調節手段２２７について、図９、１０にしたがって説明する。
符号２２９はホルダーを示し、このホルダー２２９は矩形の平板を略コ字状に折り曲げて形成されており、左右両側及び後側が開口している。また、前面から上面にかけてその中央部分にスリット２３１が形成されており、スリット２３１は前面側では半分より下方まで延び、上面側では後端に到達している。
このホルダー２２９にフレキシブルパイプ１１７の先端部が固定されている。
【００４１】
ホルダー２２９の上面と下面との間には後ろ寄りに支持ケース２３３が備えられ固定されている。この支持ケース２３３には、一対の貫通孔２３５が前後面に形成されている。
符号２３７はノブを示し、このノブ２３７は円盤状の本体２３９と略円柱状のボス部２４１が同軸状に一体に形成されている。そして、本体２３９とボス部２４１を貫通してネジ孔２４３が形成されている。ボス部２４１の軸方向中間部分には縮径された小径部２４５が設けられており、この小径部２４５は前述した前面のスリット２３１に遊嵌されている。このように、ノブ２３７はホルダー２２９に回転自在に支持されている。
【００４２】
符号２４７は雄ネジシャフトを示し、この雄ネジシャフト２４７の前端には袋ナット２４９が取り付けられている。雄ネジシャフト２４７はノブ２３７のネジ孔２４３に螺入され、さらに支持ケース２３３の貫通孔２３５に挿通されており、後端は取付ブロック２５１に固定されている。
以上の構成により、ノブ２３７を回すと、雄ネジシャフト２４７が前進後退し、フレキシブルパイプ１１７の下のボールジョイント１２１及びピンチ１６１がそれに追従して前進後退するようになっている。
【００４３】
次に、新たに付加されたフレキシブルパイプ１１７の先端部に対するピンチの上下方向及びピンチの横向きの位置調節手段２５３について、図９、１１にしたがって説明する。
取付ブロック２５１には下面に開口した孔２５７が形成されている。
符号２５９は上側支持ケースを示し、この上側支持ケース２５９は天板の有る筒状体に形成されている。上側支持ケース２５９は取付ブロック２５１の下面に固定されており、この天板の中央には孔２５７と同軸状に貫通孔２６１が形成されている。上側支持ケース２５９の側面にはロックネジ２６２が螺入されるネジ孔が形成され、その下側に支持ネジ２６３が螺入されるネジ孔が等間隔に４つ形成されている。なお、ロックネジ２６２の先端部２６４はゴムにより形成されている。
【００４４】
符号２６５は円筒状の吊下げ部を示し、この吊下げ部２６５の下端には外方フランジ２６７が設けられている。この吊下げ部２６５の側面には支持ネジ２６３が挿入される環状溝２６９が形成されている。また、外方フランジ２６７には支持ネジ２６６が挿入される貫通孔が等間隔に４つ形成されている。
吊下げ部２６５は、上側支持ケース２５９に下側から差し込まれている。また、支持ネジ２６３が上側支持ケース２５９の側面のネジ孔から螺入され、さらに吊下げ部２６５の側面の環状溝２６９まで挿入されている。このようにして、吊下げ部２６５は上側支持ケース２５９に回動自在に吊下げ支持されている。
【００４５】
符号２７１はノブを示し、このノブ２７１は天井の有る円筒状体に形成されている。この天井の中央には下方に向かって突出するボス部２７３が形成され、天井からボス部２７３にかけてネジ孔２７５が形成されている。また、天井の外縁側には支持ネジ２６６が螺入されるネジ孔が等間隔に４つ形成されている。
吊下げ部２６５の下側にノブ２７１が同軸状に当接されており、支持ネジ２６６が吊下げ部２６５の外方フランジ２６７側の貫通孔から挿入され、さらにノブ２７１のネジ孔まで螺入されている。このようにして、ノブ２７１は吊下げ部２６５と一体に回動自在に支持されている。
【００４６】
符号２７７は下側支持ケースを示し、この下側支持ケース２７７は底板の有る筒状体に形成されている。この底板の中央には二段の孔が形成されており、上側がネジ孔２７９、下側が貫通孔２８０になっている。貫通孔２８０はネジ孔２７９より小径になっている。下側支持ケース２７７の下側にはボールジョイント１２１の本体部１２５が連結されている。
符号２８１は雄ネジシャフトを示し、この雄ネジシャフト２８１は上下方向に配置されている。雄ネジシャフト２８１の上側は、上側支持ケース２５９の貫通孔２６１を貫通し、その上端部は、取付ブロック２５１の孔２５７に入り込めるようになっている。雄ネジシャフト２８１は途中でノブ２７１のネジ孔２７５に螺合している。
雄ネジシャフト２８１の下側は、下側支持ケース２７７のネジ孔２７９に螺合しており、さらに、小径の下端部は下側支持ケース２７７の貫通孔２８０を貫通して、下側から飛び出ている。また、雄ネジシャフト２８１にナット２８７が締め込まれ、これにより下側支持ケース２７７が雄ネジシャフト２８１に対して固定されている。
符号２８５はダブルナットを示し、このダブルナット２８５が雄ネジシャフト２８１に取り付けられている。
【００４７】
次に使用方法について説明する。
レバー２２５を下げたり上げたりすることで、アーム２０９の折り曲げ度合いを適宜調整し、次に、ノブ２３７を回してフレキシブルパイプ１１７の先端部に対するボールジョイント１２１及びピンチ１６１の前後方向の位置を調整する。
次に、ボールジョイント１２１における本体部１２５に対するボール１５５の軸１５７の姿勢を調節し、押しネジ１３３を締めてその姿勢を固定させる。
【００４８】
次に、上記した上下方向及び横向きの位置調節手段を操作する。具体的には、ロックネジ２６２を緩めてその先端部２６４を雄ネジシャフト２８１から離間させて、雄ネジシャフト２８１をロック状態から解除する。
次に、下側支持ケース２７７を片方の手で把持し、ノブ２７１をもう片方の手で回して、雄ネジシャフト２８１を上下方向に移動させる。下側支持ケース２７７は上昇すると、ノブ２７１内に入り込むようになっている。ノブ２７１の天井面に下側支持ケース２７７が当接すると、雄ネジシャフト２８１の上昇はそこでストップされる。一方、ダブルナット２８５の下面がノブ２７１に当接すると、雄ネジシャフト２８１の下降はそこでストップされる。雄ネジシャフト２８１の上下移動に追従して、ピンチ１６１も上下移動する。因みに、図１１は雄ネジシャフト２８１が最大限下降した状態を示している。
【００４９】
次に、ノブ２７１を片方の手で把持し、今度はもう片方の手で下側支持ケース２７７を回動させる。これによって、ボールジョイント１２１と共にピンチ１６１を回動させてピンチ１６１の横方向の向きを調節する。
これらの調節をした後に、ロックネジ２６２を締めてその先端部２６４を雄ネジシャフト２８１に押圧させて、ロック状態に戻す。
このようにして、ピンチ１６１は上下方向の位置だけでなく、横方向の向きも自在に微調節することができる。
【００５０】
上記したように、実施の形態２でも、治療中に術者Ｊを補助する者が居なくても、口腔内吸引装置の吸引管Ｐを口内に差し入れて保持することができ、労働効率がよい。
また、レバー２２５、ノブ２３７、２７１が術者Ｊの近くにあるので、治療の途中でも操作できるようになっている。フレキシブルパイプ１１７の先端部に各種位置調節手段が設けられているので、ブレが少ない。従って、治療上の安全性が高くなっている。
さらに、ロックネジ２６２を緩め、上側支持ケース２５９から支持ネジ２６３を取り外し、吊下げ部２６５から支持ネジ２６３を取り外し、ナット２８７を緩めることで、雄ネジシャフト２８１を分離できるので、雄ネジシャフト２８１の定期点検を容易に行うことができる。
【００５１】
以上、本発明の実施の形態について詳述してきたが、具体的構成は、この実施の形態に限られるものではなく、本発明の要旨を逸脱しない範囲における設計の変更などがあっても発明に含まれる。
上記実施の形態１では、ボールジョイント１２１を介してフレキシブルパイプ１１７にピンチ１６１を連結したが、ピンチ１６１を直接フレキシブルパイプ１１７に取付けてもよい。
上記実施の形態１では、フレキシブルパイプ１１７をアーム３１に対し回動自在に連結したが、フレキシブルパイプ１１７が回動しない状態でアーム３１に連結してもよい。
上記実施の形態２では、ボールジョイントの前後方向の位置調節手段の下側にボールジョイントの上下方向手段及びピンチの横向きの姿勢の調節手段が設けられているが、これを上下逆にしてもよい。
上記実施の形態１、２では、支持部としてフレキシブルパイプが用いられているが、支持部は角度の変更により基端部に対する先端部の上下方向の距離及び横方向の向きを変えられるものであればいずれのものでもよく、例えば途中に複数の関節が介挿されて角度変更可能になっているようなものでもよい。
【産業上の利用可能性】
【００５２】
本発明は医療用装置の製造業に利用可能である。
【符号の説明】
【００５３】
１…口腔内吸引装置の吸引管の保持装置（実施の形態１）
３…ベース                            ５…後側脚部
７、９…前側脚部                      １１…キャスター
１３…調節ネジ                        １５…設置部
１７…支柱                            １９…連結管
２１…押しネジ                        ２３…取付パイプ
２５…フランジ                        ２９…支持ベース
３１…アーム
３９…支持金具                        ４１…傾斜プレート
４３…バネ掛部                        ４５…水平プレート
４５ａ…ストッパ
５１…前側ロッド                      ５２…連結軸
５３、５７…支持軸                    ５５…後側ロッド
６１…連結金具                        ６３、６７、７１…支持軸
６５…下側ロッド                      ６９…上側ロッド
７３…バネ掛部                        ７９…バネ掛部
８１…連結金具                        ８３、８５…支持軸
８７、８９…コイルスプリング
９１…開閉ホルダー                    ９３…スリット
９５…空間部                          ９７…開口
９９…雄ネジ                          １０１…雌ネジ部
１１１…吊り下げ部                    １１３…取付部
１１５…フランジ                      １１７…フレキシブルパイプ
１２１…ボールジョイント              １２３…連結部
１２５…本体部                        １２７…ケース部
１２９…係止部                        １３１…ネジ孔
１３３…押しネジ                      １３５…押えブロック
１３７…凹部
１４１…ボール支持部
１４７…空間部                        １４９…開口
１５１…スリット                      １５３…フランジ
１５５…ボール                        １５７…軸
１６１…ピンチ
Ｊ…術者                              Ｔ…治療椅子
Ｋ…患者                              Ｐ…吸引管
２０１…口腔内吸引装置の吸引管の保持装置（実施の形態２）
２０３…凹部                          ２０５…支持軸
２０７…設置部                        ２０９…アーム
２１１…ペダル                        ２１２…連結部
２１３…ノブ付きネジ                  ２１４…中間ハブ
２１５…環状溝                        ２１６…孔付きの支持プレート
２１７…ウォームギア                  ２１８…ウォームホイール
２１９…ホイール取付ハブ              ２２０、２２２…座金
２２３…ボルト
２２４…ハンドル                      ２２１…下側補強ロッド
２２３…連結金具                      ２２５…レバー
２２７…前後方向の位置調節手段        ２２９…ホルダー
２３１…スリット                      ２３３…支持ケース
２３５…貫通孔                        ２３７…ノブ
２３９…本体                          ２４１…ボス部
２４３…ネジ孔                        ２４５…小径部
２４７…雄ネジシャフト                ２４９…袋ナット
２５１…取付ブロック                  ２５３…上下方向の位置調節手段
２５７…孔                            ２５９…上側支持ケース
２６１…貫通孔                        ２６２…ロックネジ
２６４…（ロックネジの）先端部
２６３、２６６…支持ネジ              ２６５吊下げ部
２６７…外方フランジ                  ２６９…環状溝
２７１…ノブ                          ２７３…ボス部
２７５…ネジ孔                        ２７７…下側支持ケース
２７９…ネジ孔                        ２８０…貫通孔
２８１…雄ネジシャフト                ２８５…ダブルナット
２８７…ナット  
【図１】
2010284333.tif 000003
【図２】
2010284333.tif 000004
【図３】
2010284333.tif 000005
【図４】
2010284333.tif 000006
【図５】
2010284333.tif 000007
【図６】
2010284333.tif 000008
【図７】
2010284333.tif 000009
【図８】
2010284333.tif 000010
【図９】
2010284333.tif 000011
【図１０】
2010284333.tif 000012
【図１１】
2010284333.tif 000013